(57)【要約】【課題】本発明は、煩雑な操作をユーザに強いることなく、イコライザ調整時の全体像を認識させながら容易にサウンド設定できるようにする。【解決手段】本発明は、上下方向、左右方向及び回転方向へ入力操作可能なロータリーエンコーダ１４と、当該ロータリーエンコーダ１４に対する左右方向への入力操作に応じて、イコライザ調整時における低域、中域、高域のバンドを設定し、ロータリーエンコーダ１４に対する上下方向への入力操作に応じてバンドの出力レベルを設定し、ロータリーエンコーダ１４に対する回転方向への入力操作に応じてバンドの中心周波数を設定するシステム制御マイコン３０と、バンド、出力レベル及び中心周波数の設定画像を同一階層上の画面で一括表示するディスプレイ１５とを設ける。【選択図】図９
2010140115.tif 000002
【特許請求の範囲】
【請求項１】
上下方向、左右方向及び回転方向へ入力操作可能な操作部と、
上記操作部に対する上記左右方向への入力操作に応じて、イコライザ調整時における低域、中域、高域に対応した各周波数のバンドを設定するバンド設定部と、
上記操作部に対する上記上下方向への入力操作に応じて、上記バンド設定部によって設定された上記バンドの出力レベルを設定するレベル設定部と、
上記操作部に対する上記回転方向への入力操作に応じて、上記バンド設定部によって設定された上記バンドの中心周波数を設定する中心周波数設定部と、
上記バンド、上記出力レベル及び上記中心周波数の設定画像を同一階層上の画面で一括表示する表示部と
を具えるサウンド設定装置。
【請求項２】
上記中心周波数設定部は、上記中心周波数を設定する際、当該中心周波数の値に連動して尖鋭度Ｑを設定する
請求項１に記載のサウンド設定装置。
【請求項３】
上記表示部は、上記バンド設定部、上記レベル設定部又は上記中心周波数設定部による設定動作を行なう際、それまでの上記設定画像を反映する
請求項２に記載のサウンド設定装置。
【請求項４】
上記表示部は、上記操作部に対する上記入力操作の操作方向を導くための操作画像を上記同一階層上の画面に同時に表示する
請求項１に記載のサウンド設定装置。
【請求項５】
上記表示部は、上記バンド設定部、上記レベル設定部又は上記中心周波数設定部による設定動作を行なう際、上記操作部に対する上記入力操作の操作可能な方向にのみ合わせた上記操作画像を表示する
請求項４に記載のサウンド設定装置。
【請求項６】
上下方向、左右方向及び回転方向へ入力操作可能な操作部に対する上記左右方向への入力操作に応じてバンド設定部によりイコライザ調整時における低域、中域、高域に対応した各周波数のバンドを設定したり、上記操作部に対する上記上下方向への入力操作に応じて上記バンドの出力レベルを設定したり、上記操作部に対する上記回転方向への入力操作に応じて上記バンドの中心周波数を設定することを順番に拘わらず行なう設定ステップと、
上記バンド、上記出力レベル及び上記中心周波数の設定画像を表示部により同一階層上の画面で一括表示する表示ステップと
を有するサウンド設定方法。
【発明の詳細な説明】
【技術分野】
【０００１】
本発明は、サウンド設定装置及びサウンド設定方法に関し、例えばカーオーディオ装置に適用して好適なものである。
【背景技術】
【０００２】
従来、カーオーディオ装置においては、車両（図示せず）のダッシュボード内等に取り付けられた状態で、ラジオ放送の受信やＣＤ(Compact Disc)の再生処理等を行い、当該車両のスピーカを介してその出力音声をユーザに聴取させるようになされている。
【０００３】
図１に示すように、この種のカーオーディオ装置１では、フロントパネル２のディスプレイ３に対して、オーディオ再生中であることを示すソース画面Ｇ１（図１（Ａ））を表示している通常状態から、次のような画面遷移を行う。
【０００４】
カーオーディオ装置１は、この通常状態（図１（Ａ））において、上下、左右、回転及び押下が可能なロータリーコマンダＲＣに対して入力操作が行われたとき、ソース画面Ｇ１からサウンドメニュー画面Ｇ２（図１（Ｂ））へ切り換えるようになされている。
【０００５】
カーオーディオ装置１は、サウンドメニュー画面Ｇ２（図１（Ｂ））において、ロータリーコマンダＲＣが回転操作されたことに応じて「イコライザパラメトリック」、「ローパスフィルタ」、「フェーダー」及び「バランス」等の音響設定に関するメニュー項目を選択する。
【０００６】
そしてカーオーディオ装置１は、ロータリーコマンダＲＣに対する押下操作に応じて、そのとき選択しているメニュー項目を最終的に決定するようになされている。
【０００７】
例えばカーオーディオ装置１は、メニュー項目として「イコライザパラメトリック」が選択された状態でロータリーコマンダＲＣが押下操作されると、サウンドメニュー画面Ｇ２（図１（Ｂ））からイコライザカーブ選択画面Ｇ３（図１（Ｃ））へ切り換える。
【０００８】
そしてカーオーディオ装置１は、イコライザカーブ選択画面Ｇ３（図１（Ｃ））において、ロータリーコマンダＲＣが回転操作されたことに応じてユーザ所望のイコライザカーブを選択するようになされている。
【０００９】
その後カーオーディオ装置１は、ユーザ所望のイコライザカーブが選択された状態で、ロータリーコマンダＲＣが押下操作されると、図２（Ｄ）に示すように、イコライザカーブ選択画面Ｇ３（図１（Ｃ））からイコライザモード画面Ｇ４（図２（Ｄ））へ切り換える。
【００１０】
そしてカーオーディオ装置１は、イコライザモード画面Ｇ４（図２（Ｄ））において、ロータリーコマンダＲＣが回転操作されたことに応じて「Tune（調整）」又は「Initialize（初期化）」のメニュー項目を選択するようになされている。
【００１１】
その後カーオーディオ装置１では、ロータリーコマンダＲＣを介して「Tune（調整）」が選択された状態で、当該ロータリーコマンダＲＣが押下操作されると、イコライザモード画面Ｇ４（図２（Ｄ））からバンド選択画面Ｇ５（図２（Ｅ））へ切り換える。
【００１２】
そしてカーオーディオ装置１では、バンド選択画面Ｇ５（図２（Ｅ））において、ロータリーコマンダＲＣが回転操作されると、イコライザ調整する周波数帯として「ＬＯＷ」、「ＭＩＤ」、「ＨＩＧＨ」の何れかを選択するようになされている。
【００１３】
カーオーディオ装置１は、ロータリーコマンダＲＣにより「ＬＯＷ」、「ＭＩＤ」、「ＨＩＧＨ」の何れかが選択された状態で、当該ロータリーコマンダＲＣが押下操作されると、バンド選択画面Ｇ５から中心周波数選択画面Ｇ６（図２（Ｆ））へ切り換える。
【００１４】
そしてカーオーディオ装置１は、中心周波数選択画面Ｇ６（図２（Ｆ））において、ロータリーコマンダＲＣが回転操作されたことに応じて、バンド選択画面Ｇ５（図２（Ｅ））で選択されたバンドにおける中心周波数を選択するようになされている。
【００１５】
その後カーオーディオ装置１は、ロータリーコマンダＲＣを介して中心周波数が選択された状態で、当該ロータリーコマンダＲＣが押下操作されると、中心周波数選択画面Ｇ６（図２（Ｆ））からレベル調整画面Ｇ７（図２（Ｇ））へ切り換える。
【００１６】
そしてカーオーディオ装置１は、レベル調整画面Ｇ７（図１（Ｇ））において、ロータリーコマンダＲＣが回転操作されたことに応じて、バンド選択画面Ｇ５で選択されたバンドにおける出力レベルを選択するようになされている。
【００１７】
その後カーオーディオ装置１は、所定のバックボタンが押下操作される度に、レベル調整画面Ｇ７→中心周波数選択画面Ｇ６→バンド選択画面Ｇ５→イコライザモード画面Ｇ４→イコライザカーブ選択画面Ｇ３→サウンドメニュー画面Ｇ２→ソース画面Ｇ１へと順番通りに戻りながら画面遷移するようになされている。
【００１８】
すなわち図３に示すように、カーオーディオ装置１では、複数階層からなるソース画面Ｇ１（図１（Ａ））〜レベル調整画面Ｇ７（図２（Ｇ））を有し、ロータリーコマンダＲＣに対する押下操作や、バックボタンに対する押下操作に応じて順番に画面遷移する。
【００１９】
また、ディスクジョグダイヤルに対する回転操作及び押圧操作が可能な携帯電話機においては、複数階層のメニューを表示するものがある（例えば、特許文献１参照）。
【特許文献１】特開2005-78145公報
【発明の開示】
【発明が解決しようとする課題】
【００２０】
ところでかかる構成のカーオーディオ装置１においては、複数階層からなるソース画面Ｇ１〜レベル調整画面Ｇ７を介してイコライザ調整を行うようになされているため、階層間を跨いだ煩雑な設定操作をユーザに強いるという問題があった。
【００２１】
またカーオーディオ装置１においては、階層の異なる画面内容をユーザに対して同一画面上で同時に目視確認させることができないため、イコライザ調整時の全体像を認識させることが困難であり、使い勝手が悪いという問題があった。
【００２２】
本発明は以上の点を考慮してなされたもので、煩雑な操作をユーザに強いることなく、イコライザ調整時の全体像を認識させながら容易にサウンド設定し得るサウンド設定装置及びサウンド設定方法を提案しようとするものである。
【課題を解決するための手段】
【００２３】
かかる課題を解決するため本発明のサウンド設定装置においては、上下方向、左右方向及び回転方向へ入力操作可能な操作部と、当該操作部に対する左右方向への入力操作に応じて、イコライザ調整時における低域、中域、高域に対応した各周波数のバンドを設定するバンド設定部と、操作部に対する上下方向への入力操作に応じて、バンド設定部によって設定されたバンドの出力レベルを設定するレベル設定部と、操作部に対する回転方向への入力操作に応じて、バンド設定部によって設定されたバンドの中心周波数を設定する中心周波数設定部と、バンド、出力レベル及び中心周波数の設定画像を同一階層上の画面で一括表示する表示部とを設けるようにする。
【００２４】
これにより、操作部を介してバンドを設定したり、出力レベルを設定したり、中心周波数を設定する際の設定画像を同一階層上で一括表示することができるので、ユーザに対して階層間を跨いだ煩雑な設定操作をユーザに強いることがなく、かつイコライザ調整時におけるバンド設定、出力レベル設定及び中心周波数設定に対する全ての全体像を認識させながらサウンド設定させることができる。
【００２５】
また本発明のサウンド設定方法においては、上下方向、左右方向及び回転方向へ入力操作可能な操作部に対する左右方向への入力操作に応じてバンド設定部によりイコライザ調整時における低域、中域、高域に対応した各周波数のバンドを設定したり、操作部に対する上下方向への入力操作に応じてバンドの出力レベルを設定したり、操作部に対する回転方向への入力操作に応じてバンドの中心周波数を設定することを順番に拘わらず行なう設定ステップと、バンド、出力レベル及び中心周波数の設定画像を表示部により同一階層上の画面で一括表示する表示ステップとを有するようにする。
【００２６】
これにより、操作部を介してバンドを設定したり、出力レベルを設定したり、中心周波数を設定する際の設定画像を同一階層上で一括表示することができるので、ユーザに対して階層間を跨いだ煩雑な設定操作をユーザに強いることがなく、かつイコライザ調整時におけるバンド設定、出力レベル設定及び中心周波数設定に対する全ての全体像を認識させながらサウンド設定させることができる。
【発明の効果】
【００２７】
本発明によれば、操作部を介してバンドを設定したり、出力レベルを設定したり、中心周波数を設定する際の設定画像を同一階層上で一括表示することができるので、ユーザに対して階層間を跨いだ煩雑な設定操作をユーザに強いることがなく、かつイコライザ調整時におけるバンド設定、出力レベル設定及び中心周波数設定に対する全ての全体像を認識させながらサウンド設定させ得るサウンド設定装置及びサウンド設定方法を実現することができる。
【発明を実施するための最良の形態】
【００２８】
以下、図面について、本発明の一実施の形態を詳述する。
【００２９】
以下、発明を実施するための最良の形態（以下、実施の形態とする）について説明する。なお、説明は以下の順序で行う。
１．実施の形態
２．他の実施の形態
【００３０】
＜１．実施の形態＞
［１−１．カーオーディオ装置の外観構成］
図４において、１０は全体として本発明の実施の形態におけるカーオーディオ装置を示し、本体部１１の前側にフロントパネル１２が取り付けられた構造を有している。
【００３１】
このカーオーディオ装置１０は、図示しない車両に取り付けられた際、車室内の空間的な制約等から、本体部１１の大部分がダッシュボード内に埋め込まれ、僅かにフロントパネル１２だけが外部に露出するようになされている。
【００３２】
実際上、カーオーディオ装置１０は、いわゆるＤＩＮサイズに準拠しており、横幅が約１７８ｍｍ、高さが約５０ｍｍとなるように構成されており、このフロントパネル１２が盗難防止対策として本体部１１から取り外すことができるようになされている。
【００３３】
［１−２．フロントパネルの構成］
図５に示すように、フロントパネル１２は、その前面１２Ａに対して、左側から順番に、ユーザの入力操作を受け付けるための操作ボタン群１３、ロータリーエンコーダ１４、ＦＬ(Fluorescent Lamp)管でなるディスプレイ１５が設けられている
【００３４】
なお、カーオーディオ装置１０は、本体部１１の正面上部にＣＤ(Compact Disc)、ＤＶＤ(Digital Versatile Disc)等のディスク状記録媒体を装填するためのディスクスロット１６（破線で示す）が設けられている。なお、このディスクスロット１６は、フロントパネル１２が本体部１１の手前側へスライドダウンしたときや、本体部１１から取り外されたときのみ露出するようになされている。
【００３５】
またフロントパネル１２では、前面１２Ａの右側下端部に、本体部１１のディスクスロット１６に装填されたディスク状記録媒体を取り出すためのイジェクトボタン１７が設けられている。
【００３６】
すなわちカーオーディオ装置１０は、イジェクトボタン１７が押下操作された場合、フロントパネル１２をスライドダウンしてディスクスロット１６を露出させ、当該ディスクスロット１６からディスク状記録媒体を排出するようになされている。
【００３７】
ところで操作ボタン群１３には、ソースボタン１３Ａ、バックボタン１３Ｂ、ザッピングボタン１３Ｃ、オフボタン１３Ｄ、ブラウザボタン１３Ｅ、フロントパネルリリースボタン１３Ｆが配置されている。さらに操作ボタン群１３には、モード選択ボタン１３Ｇ、シャッフルボタン１３Ｈ、ディスプレイ／スクロールボタン１３Ｉが配置されている。
【００３８】
ソースボタン１３Ａは、ラジオ、ＣＤ、ＵＳＢ(Universal Serial Bus)デバイス、ＡＵＸ(Auxiliary)等のソースをユーザの押下操作に応じて切り換えるためのボタンである。バックボタン１３Ｂはディスプレイ１５の画面表示内容を一つ前に戻すためのボタンである。
【００３９】
ザッピングボタン１３Ｃは、例えば再生対象となる複数のコンテンツを先頭から数秒間だけ順番に再生していく所謂ザッピング再生を行うためのボタンである。オフボタン１３Ｄはカーオーディオ装置１０の電源をオフしたり、現在選択中のソースを終了させるためのボタンである。
【００４０】
ブラウザボタン１３Ｅは、ＣＤ、ＵＳＢデバイス、携帯型オーディオプレーヤが保有する複数のコンテンツを検索して表示するためのボタンである。フロントパネルリリースボタン１３Ｆは、本体部１１からフロントパネル１２を取り外すときのボタンである。
【００４１】
モード選択ボタン１３Ｇは、例えばソースがラジオのとき、ＦＭ／ＡＭを切り換えたり、ソースが携帯型音楽プレーヤのとき、そのプレイモードを切り換えたり、サウンド設定のとき設定対象のメニュー項目を切り換えるためのボタンである。
【００４２】
シャッフルボタン１３Ｈは、ＣＤ、ＵＳＢデバイス、携帯型オーディオプレーヤが保有する複数のコンテンツを再生する際の順番をシャッフルするためのボタンである。ディスプレイ／スクロールボタン１３Ｉは、ディスプレイ１５に表示するアイテムを変更したり、そのアイテムを表示している画面をスクロールするためのボタンである。
【００４３】
一方、図６に示すようにロータリーエンコーダ１４は、上方向ＵＤ、下方向ＤＤ、左方向ＬＤ、右方向ＲＤ、右回転方向ＲＲＤ、左回転方向ＲＬＤ及び押下方向ＰＤへの４次元入力操作可能な略円柱状に突出した摘み部１４Ａを有している。
【００４４】
従ってロータリーエンコーダ１４は、一つの摘み部１４Ａに対する種々の方向への４次元入力操作を可能としているため、運転中のユーザに対して瞬時かつ容易に入力操作を実行させ得るようになされている。
【００４５】
ところで図７に示すように、フロントパネル１２のディスプレイ１５では、コンテンツの通常再生時にソース画面Ｇ１１が表示されるようになされている。このソース画面Ｇ１１では、上方左端部にソースアイコン１５Ａが表示され、上方中央部にチューナ用アイコン１５Ｂが表示されると共に、上方右端部に現在時刻を表示するための時刻表示領域１５Ｃが設けられている。
【００４６】
ソースアイコン１５Ａとしては、ＵＳＢデバイスに格納されているＭＰ３(MPEG Audio Layer-3)のコンテンツが選択されている状態を表示する他、図８（Ａ）〜（Ｃ）に示すようにＦＭラジオ、ＣＤ、ＡＵＸを選択している状態を表示し得るようになされている。
【００４７】
またソース画面Ｇ１１では、ほぼ中央部にアーティスト名及び楽曲名を表示するためのテキスト表示領域１５Ｄが設けられ、下方左端部に再生中のコンテンツのフォルダ番号及びトラック番号を表示するためのフォルダトラック表示領域１５Ｅが設けられている。
【００４８】
さらにディスプレイ１５では、下方右端部に再生中のコンテンツの再生経過時間を表示するための経過時間表示領域１５Ｆが設けられている。
【００４９】
［１−３．カーオーディオ装置の回路構成］
このカーオーディオ装置１０は、本体部１１とフロントパネル１２とによって構成されているので、本体部１１及びフロントパネル１２の回路構成を、図９に基づいてそれぞれ説明する。
【００５０】
フロントパネル１２は、ＣＰＵ(Central Processing Unit)構成でなるディスプレイマイコン２０が全体を統括制御するようになされており、ディスプレイ１５に対する表示内容を制御するようになされている。
【００５１】
またフロントパネル１２は、操作ボタン群１３に対するユーザの押下操作に応じた命令をディスプレイマイコン２０により受け付け、その命令を本体部１１の操作検出部３１へ出力する。
【００５２】
一方、フロントパネル１２は、ロータリーエンコーダ１４に対するユーザの入力操作に応じた命令を、ディスプレイマイコン２０を介することなく本体部１１の操作検出部３１へ直接出力するようになされている。
【００５３】
本体部１１は、ＣＰＵ構成でなるシステム制御マイコン３０が全体を統括制御し、当該システム制御マイコン３０が操作検出部３１による検出結果に基づいてユーザからの命令を認識するようになされている。
【００５４】
そして本体部１１のシステム制御マイコン３０は、当該命令に従いフロントパネル１２のディスプレイマイコン２０を介してディスプレイ１５に表示すべき内容を制御し得るようになされている。
【００５５】
また本体部１１のシステム制御マイコン３０は、当該命令に従い電子ボリューム制御部３２を介して電子ボリューム３３による出力音声の音量レベルを調整するようになされている。
【００５６】
因みに本体部１１のシステム制御マイコン３０は、当該命令に従って、ＦＭラジオ、ＣＤ、ＵＳＢデバイス等（図示せず）に対する再生処理制御を行い、その再生結果を車両に取り付けられているスピーカへ出力するようになされている。
【００５７】
［１−４．イコライザ調整］
次に、カーオーディオ装置１０では本体部１１のシステム制御マイコン３０がフロントパネル１２のディスプレイマイコン２０を介してサウンド設定処理（イコライザ調整）を行うときの画面遷移について、図１０（Ａ）〜図１０（Ｃ）を用いて具体的に説明する。
【００５８】
実際上、カーオーディオ装置１０は、図１０（Ａ）に示すように、ソース画面Ｇ１１（図７）をディスプレイ１５に表示中、ロータリーエンコーダ１４の摘み部１４Ａが押下方向ＰＤ（図６）へ押下操作されたことを認識すると、次のような画面遷移を行う。
【００５９】
このとき本体部１１のシステム制御マイコン３０は、フロントパネル１２のディスプレイマイコン２０を介して、ディスプレイ１５に表示中のソース画面Ｇ１１（図１０（Ａ））からサウンドメニュー画面Ｇ１２（図１０（Ｂ））へ切り換えるようになされている。
【００６０】
このサウンドメニュー画面Ｇ１２は、ユーザがサウンド設定を行う際、「イコライザ調整(EQ3 Parametric Tune>Gravity)」、「サブウーファー調整（図示せず）」、「ハイパスフィルタ調整（図示せず）」、「フェーダー／バランス調整（図示せず）」等のメニュー項目のうち何れかをユーザに選択させるために用いられるものである。
【００６１】
本体部１１のシステム制御マイコン３０は、ロータリーエンコーダ１４の摘み部１４Ａに対するユーザの回転操作に応じて「イコライザ調整(EQ3 Parametric Tune>Gravity)」、「サブウーファー調整」、「ハイパスフィルタ調整」、「フェーダー／バランス調整」等のメニュー項目に対するフォーカスを順次切り換える。
【００６２】
因みに、このサウンドメニュー画面Ｇ１２では、「イコライザ調整(EQ3 Parametric Tune>Gravity)」のメニュー項目にフォーカスされた状態であり、他の「サブウーファー調整」、「ハイパスフィルタ調整」、「フェーダー／バランス調整」のメニュー項目が表示されていない状態を示している。
【００６３】
本体部１１のシステム制御マイコン３０は、このうち例えば「イコライザ調整」のメニュー項目がロータリーエンコーダ１４の摘み部１４Ａに対するユーザの回転操作に応じてフォーカスされた状態で、当該摘み部１４Ａが押下方向ＰＤ（図６）へ押下操作されたことを認識すると、次のような画面遷移を行う。
【００６４】
この場合、本体部１１のシステム制御マイコン３０は、フロントパネル１２のディスプレイマイコン２０を介して、ディスプレイ１５に表示中のサウンドメニュー画面Ｇ１２（図１０（Ｂ））からイコライザ調整画面Ｇ１３（図１０（Ｃ））へ切り換える。
【００６５】
このイコライザ調整画面Ｇ１３は、この一つの画面で「イコライザ調整」に関する「バンド選択」、「中心周波数及びＱ選択」及び「レベル調整」を全て実行できるようになされている。
【００６６】
すなわち図１１に示すように、カーオーディオ装置１０では、ソース画面Ｇ１１からサウンドメニュー画面Ｇ１２を経てイコライザ調整画面Ｇ１３へ遷移し、このイコライザ調整画面Ｇ１３上で「バンド選択モード」、「中心周波数及びＱ選択モード」及び「レベル調整モード」を全て実行し得るようになされている。
【００６７】
従来（図３）は、ソース画面Ｇ１からレベル調整画面Ｇ７まで各階層を順番に潜りつつ、各階層毎に「バンド選択」、「中心周波数選択」及び「レベル調整」を実行せざるを得なかった。
【００６８】
しかしながら、本発明のカーオーディオ装置１０では、イコライザ調整画面Ｇ１３（図１１）という単一階層の画面上で、「バンド選択モード」、「中心周波数及びＱ選択モード」及び「レベル調整モード」を全て実行し得るようになされている。
【００６９】
なお、カーオーディオ装置１０では、ロータリーエンコーダ１４の摘み部１４Ａに対する押下方向ＰＤ（図６）への押下操作と、バックボタン１３Ｂに対する押下操作に応じてソース画面Ｇ１１〜イコライザ調整画面Ｇ１３間を遷移するようになされている。
【００７０】
図１２に示すようにイコライザ調整画面Ｇ１３では、画面上でイコライザ調整を行うためのイコライザ調整エリアＡＲ１（後述する）と、ロータリーエンコーダ１４の摘み部１４Ａに対するユーザの操作方向を導くための操作提示エリアＡＲ２とが設けられている。
【００７１】
この操作提示エリアＡＲ２では、ロータリーエンコーダ１４の摘み部１４Ａに対するユーザの操作方向を具体的に導くための操作アイコンＡＣが表示され、その時点でロータリーエンコーダ１４を入力操作したときに有効な操作方向を提示するようになされている。
【００７２】
具体的には、図１３に示すように、操作アイコンＡＣは、ロータリーエンコーダ１４を模した絵柄であり、カーオーディオ装置１０としては、この操作アイコンＡＣをユーザに目視確認させることにより入力すべき操作方向をユーザに案内するようになされている。
【００７３】
この操作アイコンＡＣは、上方向の入力操作が有効なことを示す上方向マークＵＭ、下方向の入力操作が有効なことを示す下方向マークＤＭ、右方向の入力操作が有効なことを示す右方向マークＲＭ、左方向の入力操作が有効なことを示す左方向マークＬＭが設けられ、必要に応じて点灯するようになされている。
【００７４】
また操作アイコンＡＣは、右回転方向の入力操作が有効なことを示す右回転方向マークＲＲＭ、左回転方向の入力操作が有効なことを示す左回転方向マークＲＬＭ、及び押下方向ＰＤ（図６）への入力操作が有効なことを示す押下方向マークＰＭが設けられており、必要に応じて点灯するようになされている。
【００７５】
例えば図１４（Ａ）に示すように、システム制御マイコン３０はロータリーエンコーダ１４における上方向ＵＤの入力操作が無効な場合、操作アイコンＡＣの上方向マークＵＭだけを消灯し、それ以外の方向に対する入力操作が有効であることを通知する。
【００７６】
図１４（Ｂ）に示すように、システム制御マイコン３０はロータリーエンコーダ１４における下方向ＤＤの入力操作が無効な場合、操作アイコンＡＣの下方向マークＤＭだけを消灯し、それ以外の方向に対する入力操作が有効であることを通知する。
【００７７】
また図１５（Ａ）に示すように、システム制御マイコン３０はロータリーエンコーダ１４における左方向ＬＤの入力操作が無効な場合、操作アイコンＡＣの左方向マークＬＭだけを消灯し、それ以外の方向に対する入力操作が有効であることを通知する。
【００７８】
図１５（Ｂ）に示すように、システム制御マイコン３０はロータリーエンコーダ１４における右方向ＲＤの入力操作が無効な場合、操作アイコンＡＣの右方向マークＲＭだけを消灯し、それ以外の方向に対する入力操作が有効であることを通知する。
【００７９】
図１６（Ａ）に示すように、システム制御マイコン３０はロータリーエンコーダ１４における右回転方向ＲＲＤの入力操作が無効な場合、操作アイコンＡＣの右回転方向マークＲＲＭだけを消灯し、それ以外の方向に対する入力操作が有効であることを通知する。
【００８０】
図１６（Ｂ）に示すように、システム制御マイコン３０はロータリーエンコーダ１４における左回転方向ＲＬＤの入力操作が無効な場合、操作アイコンＡＣの左回転方向マークＲＬＭだけを消灯し、それ以外の方向に対する入力操作が有効であることを通知する。
【００８１】
一方、イコライザ調整エリアＡＲ１（図１２）は、イコライザ調整時の「バンド選択モード」、「中心周波数及びＱ選択モード」、及び「レベル調整モード」を全て表示すると共に、それまでの選択結果や調整結果を全て表示してイコライザ調整結果に反映させる。
【００８２】
［１−４−１．イコライザ調整時のモード遷移及び画面遷移］
具体的には、図１７に示すように、本体部１１のシステム制御マイコン３０は、イコライザ調整画面Ｇ１３においてロータリーエンコーダ１４の摘み部１４Ａが押下方向ＰＤ（図６）へ押下操作されると、バンド選択モードＢＳＭへ遷移する。
【００８３】
バンド選択モードＢＳＭでは、イコライザ調整を行う周波数帯として「ＬＯＷ」、「ＭＩＤ」、「ＨＩＧＨ」の何れかを選択させ得るようになされている。具体的にシステム制御マイコン３０は、ロータリーエンコーダ１４の摘み部１４Ａが左方向ＬＤ又は右方向ＲＤへ入力操作されたことに応じて、イコライザ調整画面Ｇ１３Ａ、Ｇ１３Ｂ及びＧ１３Ｃ間を相互に切り換えるようになされている。
【００８４】
このイコライザ調整画面Ｇ１３Ａでは、イコライザ調整を行う周波数帯として「ＬＯＷ」が選択された状態を示し、イコライザ調整画面Ｇ１３Ｂでは、イコライザ調整を行う周波数帯として「ＭＩＤ」が選択された状態を示している。またイコライザ調整画面Ｇ１３Ｃでは、イコライザ調整を行う周波数帯として「ＨＩＧＨ」が選択された状態を示している。
【００８５】
従って本体部１１のシステム制御マイコン３０は、ロータリーエンコーダ１４の摘み部１４Ａに対する右方向ＲＤ又は左方向ＬＤへの入力操作に応じてユーザ所望の周波数帯を選択し得、その結果をイコライザ調整画面Ｇ１３Ａ、Ｇ１３Ｂ又はＧ１３Ｃに提示する。
【００８６】
なおシステム制御マイコン３０は、「ＬＯＷ」が選択されたイコライザ調整画面Ｇ１３Ａの場合、ロータリーエンコーダ１４の摘み部１４Ａに対する左方向ＬＤへの入力操作が無効となるので、操作アイコンＡＣの左方向マークＬＭ（図１５）を消灯する。
【００８７】
またシステム制御マイコン３０は、「ＭＩＤ」が選択されたイコライザ調整画面Ｇ１３Ｂの場合、ロータリーエンコーダ１４の摘み部１４Ａに対する何れの方向への入力操作も有効となるので全て点灯するようになされている。
【００８８】
更にシステム制御マイコン３０は、「ＨＩＧＨ」が選択されたイコライザ調整画面Ｇ１３Ｃの場合、ロータリーエンコーダ１４の摘み部１４Ａに対する右方向ＲＤへの入力操作が無効となるので、操作アイコンＡＣの右方向マークＲＭ（図１５）を消灯する。
【００８９】
これらイコライザ調整画面Ｇ１３Ａ、Ｇ１３Ｂ、Ｇ１３Ｃにおいて、ロータリーエンコーダ１４の摘み部１４Ａが上方向ＵＤ又は下方向ＤＤへ入力操作された場合、本体部１１のシステム制御マイコン３０はレベル調整モードＬＡＭへ遷移するようになされている。
【００９０】
レベル調整モードＬＡＭでは、「ＬＯＷ」、「ＭＩＤ」、「ＨＩＧＨ」の周波数帯毎に出力レベルを最大変化幅として−１０[ｄＢ]〜＋１０[ｄＢ]まで変化させ得るようになされている。
【００９１】
実際上システム制御マイコン３０は、ロータリーエンコーダ１４の摘み部１４Ａが上方向ＵＤ又は下方向ＤＤへ入力操作されたことに応じて、イコライザ調整画面Ｇ１３Ｄ、Ｇ１３Ｅ及びＧ１３Ｆを介して出力レベルを調整し、その調整結果を表示する。
【００９２】
イコライザ調整画面Ｇ１３Ｄでは、「ＬＯＷ」の周波数帯において出力レベルが＋１０[ｄＢ]に設定された状態を示し、イコライザ調整画面Ｇ１３Ｅでは、「ＭＩＤ」の周波数帯において出力レベルが−１０[ｄＢ]に設定された状態を示している。またイコライザ調整画面Ｇ１３Ｆでは、「ＨＩＧＨ」の周波数帯において出力レベルが＋１０[ｄＢ]に設定された状態を示している。
【００９３】
なお、レベル調整モードＬＡＭにおいても、システム制御マイコン３０は、ロータリーエンコーダ１４の摘み部１４Ａが左方向ＬＤ又は右方向ＲＤへ入力操作されたことに応じて、イコライザ調整画面Ｇ１３Ｄ、Ｇ１３Ｅ及びＧ１３Ｆ間を相互に切り換える。
【００９４】
なおイコライザ調整画面Ｇ１３Ｄの場合、「ＬＯＷ」の周波数帯において出力レベルが最大の＋１０[ｄＢ]に設定されているので、ロータリーエンコーダ１４の摘み部１４Ａに対する上方向ＵＤへの入力操作が無効となる。従ってシステム制御マイコン３０は、操作アイコンＡＣの上方向マークＵＭ（図１４）を消灯するようになされている。
【００９５】
またイコライザ調整画面Ｇ１３Ｅの場合、「ＭＩＤ」の周波数帯において出力レベルが最大の−１０[ｄＢ]に設定されているので、ロータリーエンコーダ１４の摘み部１４Ａに対する下方向ＤＤへの入力操作が無効となる。従ってシステム制御マイコン３０は、操作アイコンＡＣの下方向マークＤＭを消灯するようになされている。
【００９６】
更にイコライザ調整画面Ｇ１３Ｆの場合、「ＨＩＧＨ」の周波数帯において出力レベルが最大の＋１０[ｄＢ]に設定されているので、ロータリーエンコーダ１４の摘み部１４Ａに対する上方向ＵＤへの入力操作が無効となる。従ってシステム制御マイコン３０は、操作アイコンＡＣの上方向マークＵＭ（図１４）を消灯するようになされている。
【００９７】
これらイコライザ調整画面Ｇ１３Ｄ、Ｇ１３Ｅ、Ｇ１３Ｆでロータリーエンコーダ１４の摘み部１４Ａが右回転方向ＲＲＤ又は左回転方向ＲＬＤへ入力操作された場合、本体部１１のシステム制御マイコン３０は中心周波数及びＱ選択モードＦＱＭへ遷移する。
【００９８】
中心周波数及びＱ選択モードＦＱＭでは、「ＬＯＷ」、「ＭＩＤ」、「ＨＩＧＨ」の周波数帯毎に中心周波数及びＱをユーザに選択させ得るようになされている。ここで、Ｑは、出力波形の尖鋭度（共振の鋭さを）を意味している。
【００９９】
この中心周波数及びＱ選択モードＦＱＭにおけるイコライザ調整画面Ｇ１３Ｇ、Ｇ１３Ｈ、Ｇ１３Ｉ及びＧ１３Ｊは、「ＬＯＷ」の周波数帯に対応したイコライザ調整画面Ｇ１３Ｄから遷移したときの一例である。
【０１００】
「ＬＯＷ」の周波数帯では、中心周波数として例えば６０[Ｈｚ]又は１００[Ｈｚ]の何れかを選択させると共に、Ｑとして例えば「０．５」、「１．０」、「１．５」又は「２．０」の何れかを選択させるようになされている。また同様に、「ＭＩＤ」の周波数帯及び「ＨＩＧＨ」の周波数帯においても、中心周波数及びＱを複数の候補から選択させるようになされている。
【０１０１】
実際上システム制御マイコン３０は、ロータリーエンコーダ１４の摘み部１４Ａが右回転方向ＲＲＤ又は左回転方向ＲＬＤへ入力操作されたことに応じて「ＬＯＷ」の周波数帯における中心周波数及びＱを選択するようになされている。
【０１０２】
そしてシステム制御マイコン３０は、「ＬＯＷ」の周波数帯における中心周波数及びＱの選択結果を例えばイコライザ調整画面Ｇ１３Ｇ、Ｇ１３Ｈ、Ｇ１３Ｉ及びＧ１３Ｊを介して表示する。
【０１０３】
イコライザ調整画面Ｇ１３Ｇでは、「ＬＯＷ」の周波数帯において中心周波数が６０[Ｈｚ]、Ｑが「０．５」に設定された状態を示している。またイコライザ調整画面Ｇ１３Ｈでは、「ＬＯＷ」の周波数帯において中心周波数が６０[Ｈｚ]、Ｑが「１．０」に設定された状態を示している。
【０１０４】
同様にイコライザ調整画面Ｇ１３Ｉでは、「ＬＯＷ」の周波数帯において中心周波数が１００[Ｈｚ]、Ｑが「１．５」に設定された状態を示している。またイコライザ調整画面Ｇ１３Ｊでは、「ＬＯＷ」の周波数帯において中心周波数が１００[Ｈｚ]、Ｑが「２．０」に設定された状態を示している。
【０１０５】
このイコライザ調整画面Ｇ１３Ｇ〜Ｇ１３Ｊは、「ＬＯＷ」の周波数帯における中心周波数及びＱを設定するものであるが、同様に「ＭＩＤ」及び「ＨＩＧＨ」の周波数帯における中心周波数及びＱを設定するためのイコライザ調整画面（図示せず）も存在する。
【０１０６】
なお、中心周波数及びＱ選択モードＦＱＭにおいても、システム制御マイコン３０は、ロータリーエンコーダ１４の摘み部１４Ａが左方向ＬＤ又は右方向ＲＤへ入力操作されたことに応じて、中心周波数及びＱを選択するときの周波数帯を「ＬＯＷ」、「ＭＩＤ」、「ＨＩＧＨ」の中で相互に切り換えるようになされている。
【０１０７】
このイコライザ調整画面Ｇ１３Ｇの場合、「ＬＯＷ」の周波数帯において中心周波数が６０[Ｈｚ]及びＱが「０．５」に設定されており、ロータリーエンコーダ１４の摘み部１４Ａに対する左回転方向ＲＬＤへの入力操作が無効となっている。従ってシステム制御マイコン３０は、操作アイコンＡＣの左回転方向マークＲＬＭ（図１６）を消灯するようになされている。
【０１０８】
またイコライザ調整画面Ｇ１３Ｈの場合、「ＬＯＷ」の周波数帯において中心周波数が６０[Ｈｚ]及びＱが「１．０」に設定されており、ロータリーエンコーダ１４の摘み部１４Ａに対する何れの方向への入力操作も有効となっている。従ってシステム制御マイコン３０は、操作アイコンＡＣを全て点灯するようになされている。
【０１０９】
イコライザ調整画面Ｇ１３Ｉの場合も、「ＬＯＷ」の周波数帯において中心周波数が１００[Ｈｚ]及びＱが「１．５」に設定されており、ロータリーエンコーダ１４の摘み部１４Ａに対する何れの方向への入力操作も有効となっている。従ってシステム制御マイコン３０は、操作アイコンＡＣを全て点灯するようになされている。
【０１１０】
更にイコライザ調整画面Ｇ１３Ｊの場合、「ＬＯＷ」の周波数帯において中心周波数が１００[Ｈｚ]及びＱが「２．０」に設定されており、ロータリーエンコーダ１４の摘み部１４Ａに対する右回転方向ＲＲＤへの入力操作が無効となっている。従ってシステム制御マイコン３０は、操作アイコンＡＣの右回転方向マークＲＲＭ（図１６）を消灯するようになされている。
【０１１１】
なお、システム制御マイコン３０は、上述したようなレベル調整モードＬＡＭから中心周波数及びＱ選択モードＦＱＭへ遷移するだけでなく、バンド選択モードＢＳＭから中心周波数及びＱ選択モードＦＱＭへ直接遷移し得るようにもなされている。
【０１１２】
実際上システム制御マイコン３０は、バンド選択モードＢＳＭのイコライザ調整画面１３Ａ、１３Ｂ、１３Ｃにおいて、ロータリーエンコーダ１４の摘み部１４Ａが右回転方向ＲＲＤ又は左回転方向ＲＬＤへ入力操作されると、中心周波数及びＱ選択モードＦＱＭへ直接遷移する。
【０１１３】
特にシステム制御マイコン３０は、イコライザ調整画面１３Ａにおいて、ロータリーエンコーダ１４の摘み部１４Ａが右回転方向ＲＲＤ又は左回転方向ＲＬＤへ入力操作された場合、「ＬＯＷ」の周波数帯に対応した中心周波数及びＱ選択モードＦＱＭへ遷移する。
【０１１４】
またシステム制御マイコン３０は、イコライザ調整画面１３Ｂにおいて、ロータリーエンコーダ１４の摘み部１４Ａが右回転方向ＲＲＤ又は左回転方向ＲＬＤへ入力操作された場合、「ＭＩＤ」の周波数帯に対応した中心周波数及びＱ選択モードＦＱＭへ遷移する。
【０１１５】
更にシステム制御マイコン３０は、イコライザ調整画面１３Ｃにおいて、ロータリーエンコーダ１４の摘み部１４Ａが右回転方向ＲＲＤ又は左回転方向ＲＬＤへ入力操作された場合、「ＨＩＧＨ」の周波数帯に対応した中心周波数及びＱ選択モードＦＱＭへ遷移する。
【０１１６】
このようにシステム制御マイコン３０は、イコライザ調整画面Ｇ１３上で、バンド選択モードＢＳＭ、レベル調整モードＬＡＭ、中心周波数及びＱ選択モードＦＱＭ間を相互に遷移し、それぞれのモードにおいてイコライザ調整し得るようになされている。
【０１１７】
このようにシステム制御マイコン３０は、各モードにおける選択結果や調整結果をイコライザ調整画面Ｇ１３上に終始反映させた状態で表示するため、ユーザに画面を戻させることなく過去の選択結果や調整結果を目視確認させながらイコライザ調整させ得る。なお、システム制御マイコン３０は、バンド選択モードＢＳＭ、レベル調整モードＬＡＭ、中心周波数及びＱ選択モードＦＱＭの何れであっても、操作ボタン群１３のバックボタン１３Ｂが押下操作された場合、強制的にイコライザ調整画面Ｇ１３へ戻すようにしても良い。
【０１１８】
［１−５．サブウーファー調整］
続いてカーオーディオ装置１０では、本体部１１のシステム制御マイコン３０がフロントパネル１２のディスプレイマイコン２０を介してサウンド設定処理（サブウーファー調整）を行うときの画面遷移を、図１８（Ａ）〜図１８（Ｃ）により具体的に説明する。
【０１１９】
実際上、カーオーディオ装置１０は、図１８（Ａ）に示すように、ソース画面Ｇ１１（図７）をディスプレイ１５に表示中、ロータリーエンコーダ１４の摘み部１４Ａが押下方向ＰＤ（図６）へ押下操作されたことを認識すると、次のような画面遷移を行う。
【０１２０】
このとき本体部１１のシステム制御マイコン３０は、フロントパネル１２のディスプレイマイコン２０を介して、ディスプレイ１５に表示中のソース画面Ｇ１１（図１８（Ａ））からサウンドメニュー画面Ｇ１２（図１８（Ｂ））へ切り換える。
【０１２１】
このサウンドメニュー画面Ｇ１２は、ユーザがサウンド設定を行う際、「イコライザ調整（図示せず）」、「サブウーファー調整(Subwoofer Tune & LPF)」、「ハイパスフィルタ調整（図示せず）」、「フェーダー／バランス調整（図示せず）」等のメニュー項目のうち何れかをユーザに選択させるために用いられるものである。
【０１２２】
本体部１１のシステム制御マイコン３０は、ロータリーエンコーダ１４の摘み部１４Ａに対するユーザの回転操作に応じて「イコライザ調整」、「サブウーファー調整(Subwoofer Tune & LPF)」、「ハイパスフィルタ調整」、「フェーダー／バランス調整」等のメニュー項目に対するフォーカスを順次切り換える。
【０１２３】
因みに、このサウンドメニュー画面Ｇ１２では、「サブウーファー調整(Subwoofer Tune & LPF) 」のメニュー項目にフォーカスされた状態であり、他の「イコライザ調整」、「ハイパスフィルタ調整」、「フェーダー／バランス調整」のメニュー項目が表示されていない状態を示している。
【０１２４】
本体部１１のシステム制御マイコン３０は、このうち例えば「サブウーファー調整(Subwoofer Tune & LPF)」のメニュー項目がロータリーエンコーダ１４の摘み部１４Ａに対するユーザの回転操作によりフォーカスされた状態で、当該摘み部１４Ａが押下方向ＰＤ（図６）へ押下操作されたことを認識すると、次のような画面遷移を行う。
【０１２５】
この場合、本体部１１のシステム制御マイコン３０は、フロントパネル１２のディスプレイマイコン２０を介して、ディスプレイ１５に表示中のサウンドメニュー画面Ｇ１２（図１８（Ｂ））からサブウーファー調整画面Ｇ１４（図１８（Ｃ））へ切り換える。
【０１２６】
このサブウーファー調整画面Ｇ１４（図１８（Ｃ））においても、この一つの画面で「サブウーファー調整」に関する「ノーマル／リバース選択モード」、「カットオフ周波数選択モード」及び「レベル調整モード」を全て実行できるようになされている。
【０１２７】
すなわち図１９に示すように、カーオーディオ装置１０では、ソース画面Ｇ１１からサウンドメニュー画面Ｇ１２を経てサブウーファー調整画面Ｇ１４へ遷移し、このサブウーファー調整画面Ｇ１４上で「ノーマル／リバース選択モード」、「カットオフ周波数選択モード」及び「レベル調整モード」を全て単一階層により実行し得るようになされている。
【０１２８】
なおカーオーディオ装置１０では、ロータリーエンコーダ１４の摘み部１４Ａに対する押下方向ＰＤ（図６）への押下操作と、バックボタン１３Ｂに対する押下操作に応じて、ソース画面Ｇ１１、サウンドメニュー画面Ｇ１２及びサブウーファー調整画面Ｇ１４間を遷移するようになされている。
【０１２９】
図２０に示すようにサブウーファー調整画面Ｇ１４では、画面上でサブウーファー調整を行うためのサブウーファー調整エリアＡＲ３（後述する）と、ロータリーエンコーダ１４に対するユーザの操作方向を導くための操作提示エリアＡＲ２とが設けられている。
【０１３０】
この操作提示エリアＡＲ２では、ロータリーエンコーダ１４の摘み部１４Ａに対するユーザの操作方向を具体的に導くための操作アイコンＡＣが表示され、その時点でロータリーコマンダ１４に対する有効な操作方向を提示するようになされている。
【０１３１】
ここで操作アイコンＡＣについては、図１３〜図１６で上述したように、ロータリーエンコーダ１４を模した絵柄であり、この操作アイコンＡＣをユーザに目視確認させることにより、入力すべき操作方向を案内するようになされている。
【０１３２】
［１−５−１．サブウーファー調整時のモード遷移及び画面遷移］
実際上、図２１に示すように、本体部１１のシステム制御マイコン３０は、サブウーファー調整画面Ｇ１４においてロータリーエンコーダ１４の摘み部１４Ａが押下方向ＰＤ（図６）へ押下操作されると、ノーマル／リバース選択モードＮＲＳＭへ遷移する。
【０１３３】
ノーマル／リバース選択モードＮＲＳＭでは、サブウーファー調整を行う際のサブウーファーの位相を、ノーマル（通常位相）とリバース（反転位相）との間で切り換えるようになされている。
【０１３４】
具体的にシステム制御マイコン３０は、ロータリーエンコーダ１４の摘み部１４Ａが右回転方向ＲＲＤ又は左回転方向ＲＬＤへ入力操作されたことに応じて、サブウーファー調整画面Ｇ１４Ａ及びＧ１４Ｂ間を相互に切り換えるようになされている。
【０１３５】
このサブウーファー調整画面Ｇ１４Ａでは、サブウーファーの向きとしてノーマル（通常位相）が選択された状態を示し、サブウーファー調整画面Ｇ１４Ｂでは、サブウーファーの向きとしてリバース（反転位相）が選択された状態を示している。
【０１３６】
従って本体部１１のシステム制御マイコン３０は、ロータリーエンコーダ１４の摘み部１４Ａに対する右回転方向ＲＲＤ又は左回転方向ＲＬＤへの入力操作に応じてサブウーファーの位相を選択するようになされている。
【０１３７】
そして本体部１１のシステム制御マイコン３０は、サブウーファーの位相を選択したときの結果をサブウーファー調整画面Ｇ１４Ａ又はＧ１４Ｂの絵柄により提示する。
【０１３８】
なおノーマル（通常位相）が選択されたサブウーファー調整画面Ｇ１４Ａの場合、ロータリーエンコーダ１４の摘み部１４Ａに対する左回転方向ＲＬＤへの入力操作が無効となる。従ってシステム制御マイコン３０は、操作アイコンＡＣの左回転方向マークＲＬＭ（図１６）を消灯するようになされている。
【０１３９】
また、リバース（反転位相）が選択されたサブウーファー調整画面Ｇ１４Ｂの場合、ロータリーエンコーダ１４の摘み部１４Ａに対する右回転方向ＲＲＤへの入力操作が無効となる。従ってシステム制御マイコン３０は、操作アイコンＡＣの右回転方向マークＲＲＭ（図１６）を消灯するようになされている。
【０１４０】
これらサブウーファー調整画面Ｇ１４Ａ及びＧ１４Ｂにおいて、ロータリーエンコーダ１４の摘み部１４Ａが左方向ＬＤ又は右方向ＲＤへ入力操作された場合、システム制御マイコン３０はカットオフ周波数選択モードＣＦＳＭへ遷移するようになされている。
【０１４１】
カットオフ周波数選択モードＣＦＳＭでは、サブウーファー調整を行う際のサブウーファオのカットオフ周波数を例えば１００[Ｈｚ]又は１６０[Ｈｚ]の何れかに切り換え得るようになされている。
【０１４２】
具体的にシステム制御マイコン３０は、ロータリーエンコーダ１４の摘み部１４Ａが左方向ＬＤ又は右方向ＲＤへ入力操作されたことに応じて、カットオフ周波数を８０[Ｈｚ]、１００[Ｈｚ]、１２０[Ｈｚ]、１４０[Ｈｚ]、１６０[Ｈｚ]又はＯＦＦの何れかに設定する。
【０１４３】
その結果、システム制御マイコン３０は、カットオフ周波数の選択結果を、サブウーファー調整画面Ｇ１４Ｃ又はＧ１４Ｄにより表示するようになされている。
【０１４４】
このサブウーファー調整画面Ｇ１４Ｃでは、カットオフ周波数として１００[Hz]が選択された状態を示し、サブウーファー調整画面Ｇ１４Ｄでは、カットオフ周波数として１６０[Hz]が選択された状態を示している。
【０１４５】
従ってシステム制御マイコン３０は、ロータリーエンコーダ１４の摘み部１４Ａに対する左方向ＬＤ又は右方向ＲＤへの入力操作に応じてサブウーファーのカットオフ周波数を選択し、その結果をサブウーファー調整画面Ｇ１４Ｃ又はＧ１４Ｄにより提示する。
【０１４６】
なお、カットオフ周波数として１００[Ｈｚ]が選択されたサブウーファー調整画面Ｇ１４Ｃの場合、ロータリーエンコーダ１４の摘み部１４Ａに対する左方向ＲＤへの入力操作が無効となる。従ってシステム制御マイコン３０は、操作アイコンＡＣの左方向マークＬＭ（図１５）を消灯するようになされている。
【０１４７】
また、カットオフ周波数として１６０[Ｈｚ]が選択されたサブウーファー調整画面Ｇ１４Ｄの場合、ロータリーエンコーダ１４の摘み部１４Ａに対する右方向ＲＤへの入力操作が無効となる。従ってシステム制御マイコン３０は、操作アイコンＡＣの右方向マークＲＭ（図１５）を消灯するようになされている。
【０１４８】
続いて、これらサブウーファー調整画面Ｇ１４Ｃ及びＧ１４Ｄにおいて、ロータリーエンコーダ１４の摘み部１４Ａが上方向ＵＤ又は下方向ＤＤへ入力操作された場合、システム制御マイコン３０はレベル調整モードＬＡＭへ遷移するようになされている。
【０１４９】
レベル調整モードＬＡＭでは、サブウーファーからの出力レベルを最大変化幅として−１０[ｄＢ]〜＋１０[ｄＢ]まで変化させ得るようになされている。
【０１５０】
実際上システム制御マイコン３０は、ロータリーエンコーダ１４の摘み部１４Ａが上方向ＵＤ又は下方向ＤＤへ入力操作されたことに応じて、サブウーファー調整画面Ｇ１４Ｅ、Ｇ１４Ｆを介して出力レベルを調整し、その調整結果を表示するようになされている。
【０１５１】
このサブウーファー調整画面Ｇ１４Ｅでは、サブウーファーの出力レベルが＋１０[ｄＢ]に設定された状態を示し、サブウーファー調整画面Ｇ１４Ｆでは、サブウーファーの出力レベルが−１０[ｄＢ]に設定された状態を示している。
【０１５２】
なお、レベル調整モードＬＡＭにおいても、システム制御マイコン３０は、ロータリーエンコーダ１４の摘み部１４Ａが上方向ＵＤ又は下方向ＤＤへ入力操作されたことに応じて、サブウーファー調整画面Ｇ１４Ｅ又はＧ１４Ｆ間を相互に切り換える。
【０１５３】
なおサブウーファー調整画面Ｇ１４Ｅの場合、サブウーファーの出力レベルが最大の＋１０[ｄＢ]に設定され、ロータリーエンコーダ１４の摘み部１４Ａに対する上方向ＵＤへの入力操作が無効となっている。従ってシステム制御マイコン３０は、操作アイコンＡＣの上方向マークＵＭ（図１４）を消灯するようになされている。
【０１５４】
またサブウーファー調整画面Ｇ１４Ｆの場合、サブウーファーの出力レベルが最大の−１０[ｄＢ]に設定され、ロータリーエンコーダ１４の摘み部１４Ａに対する下方向ＤＤへの入力操作が無効となっている。従ってシステム制御マイコン３０は、操作アイコンＡＣの下方向マークＤＭを消灯するようになされている。
【０１５５】
なお、システム制御マイコン３０は、上述したようなカットオフ周波数選択モードＣＦＳＭからレベル調整モードＬＡＭへ遷移するだけでなく、ノーマル／リバース選択モードＮＲＳＭからレベル調整モードＬＡＭへ直接遷移し得るようにもなされている。
【０１５６】
システム制御マイコン３０は、ノーマル／リバース選択モードＮＲＳＭのサブウーファー調整画面Ｇ１４Ａ、Ｇ１４Ｂにおいて、ロータリーエンコーダ１４の摘み部１４Ａが上方向ＵＤ又は下方向ＤＤへ入力操作されるとレベル調整モードＬＡＭへ直接遷移する。
【０１５７】
特にシステム制御マイコン３０は、サブウーファー調整画面Ｇ１４Ａにおいて、ロータリーエンコーダ１４の摘み部１４Ａが上方向ＵＤ又は下方向ＤＤへ入力操作された場合、ノーマル（通常位相）に対応したレベル調整モードＬＡＭへ遷移する。
【０１５８】
またシステム制御マイコン３０は、サブウーファー調整画面Ｇ１４Ｂにおいて、ロータリーエンコーダ１４の摘み部１４Ａが上方向ＵＤ又は下方向ＤＤへ入力操作された場合、リバース（反転位相）に対応したレベル調整モードＬＡＭへ遷移する。
【０１５９】
このようにシステム制御マイコン３０は、サブウーファー調整画面Ｇ１４上でノーマル／リバース選択モードＮＲＳＭ、カットオフ周波数選択モードＣＦＳＭ、レベル調整モードＬＡＭ間を相互に遷移し、各モードでサブウーファー調整し得るようになされている。
【０１６０】
従ってシステム制御マイコン３０は、各モードにおける選択結果や調整結果をサブウーファー調整画面Ｇ１４上に終始反映させた状態で表示するため、ユーザに画面を戻させることなく過去の選択結果や調整結果を目視確認させながらサブウーファー調整させ得る。なお、システム制御マイコン３０は、ノーマル／リバース選択モードＮＲＳＭ、カットオフ周波数選択モードＣＦＳＭ、レベル調整モードＬＡＭの何れであっても、操作ボタン群１３のバックボタン１３Ｂが押下操作された場合、強制的にサブウーファー調整画面Ｇ１４へ戻すようにしても良い。
【０１６１】
［１−６．動作及び効果］
以上の構成において、カーオーディオ装置１０の本体部１１におけるシステム制御マイコン３０は、フロントパネル１２のディスプレイマイコン２０を介してディスプレイ１５にサウンド設定処理を行うためのイコライザ調整画面Ｇ１３を表示する。
【０１６２】
システム制御マイコン３０は、４次元入力操作可能なロータリーエンコーダ１４だけをユーザに操作させ、イコライザ調整画面Ｇ１３上だけで「バンド選択モード」、「中心周波数及びＱ選択モード」及び「レベル調整モード」を全て実行する。
【０１６３】
このときシステム制御マイコン３０は、それまでの各モードにおける選択結果や調整結果を反映しながら、ユーザに対して次の入力操作を促すことができるので、イコライザ画面Ｇ１３を介してイコライザ調整結果を視覚的にイメージさせることができる。
【０１６４】
なお、システム制御アイコン３０は、操作アイコンＡＣを介してロータリーエンコーダ１４に対するユーザの操作方向を提示することができるので、有効な入力操作をユーザに対して実行させ、効率良くイコライザ調整結果を得ることができる。
【０１６５】
また、カーオーディオ装置１０の本体部１１におけるシステム制御マイコン３０は、フロントパネル１２のディスプレイマイコン２０を介してディスプレイ１５にサウンド設定処理を行うためのサブウーファー調整画面Ｇ１４を表示する。
【０１６６】
システム制御マイコン３０は、４次元入力操作可能なロータリーエンコーダ１４だけをユーザに操作させ、サブウーファー調整画面Ｇ１４上だけで「ノーマル／リバース選択モード」、「カットオフ周波数選択モード」及び「レベル調整モード」を全て実行する。
【０１６７】
このときシステム制御マイコン３０は、それまでの各モードにおける選択結果や調整結果を反映しながら、ユーザに対して次の入力操作を促すことができるので、サブウーファー調整画面Ｇ１４を介してサブウーファー調整結果を視覚的にイメージさせることができる。
【０１６８】
なお、システム制御アイコン３０は、操作アイコンＡＣを介してロータリーエンコーダ１４に対するユーザの操作方向を提示することができるので、有効な入力操作をユーザに対して実行させ、効率良くサブウーファー調整結果を得ることができる。
【０１６９】
以上の構成によれば、カーオーディオ装置１０では、煩雑な操作をユーザに強いることなく、イコライザ調整画面Ｇ１３だけを介してイコライザ調整時の全体像をユーザに認識させながら、効率良くイコライザ調整結果を提供することができる。
【０１７０】
また、カーオーディオ装置１０では、煩雑な操作をユーザに強いることなく、サブウーファー調整画面Ｇ１４だけを介してサブウーファー調整時の全体像をユーザに認識させながら、効率良くサブウーファー調整結果を提供することができる。
【０１７１】
＜２．他の実施の形態＞
なお上述の実施の形態においては、操作部としてロータリーエンコーダ１４によりイコライザ調整結果やサブウーファー調整結果を提供するようにした場合について述べた。
【０１７２】
しかしながら、本発明はこれに限らず、ロータリーエンコーダ１４以外の操作ボタン、スライダー、スイッチ等のその他種々の操作部による入力操作に応じたイコライザ調整結果やサブウーファー調整結果を提供するようにしても良い。
【０１７３】
また上述の実施の形態においては、本体部１１とフロントパネル１２とが着脱自在に取り付けられた分離構造のカーオーディオ装置１０に本発明のサウンド設定装置を適用するようにした場合について述べた。
【０１７４】
しかしながら、本発明はこれに限らず、本体部とフロントパネルとが一体化された構造のカーオーディオ装置に本発明のサウンド設定装置を適用するようにしても良い。
【０１７５】
さらに上述の実施の形態においては、バンド設定部としてのシステム制御マイコン３０が、予め定められた周波数帯の「ＬＯＷ」、「ＭＩＤ」、「ＨＩＧＨ」の中から選択することによりバンドを設定するようにした場合について述べた。
【０１７６】
しかしながら、本発明はこれに限らず、システム制御マイコン３０は、ロータリーエンコーダ１４に対する入力操作に応じて、更に詳細な周波数帯をバンドとして設定するようにしても良い。
【０１７７】
さらに上述の実施の形態においては、レベル設定部としてのシステム制御マイコン３０が、予め定められた−１０[ｄＢ]〜＋１０[ｄＢ]の範囲で調整することにより出力レベルを設定するようにした場合について述べた。
【０１７８】
しかしながら、本発明はこれに限らず、システム制御マイコン３０は、ロータリーエンコーダ１４に対する入力操作に応じて、更に幅広い範囲で調整することにより出力レベルを設定するようにしても良い。
【０１７９】
さらに上述の実施の形態においては、中心周波数設定部としてのシステム制御マイコン３０が、予め定められた２通りの中心周波数（６０[Ｈｚ]又は１００[Ｈｚ]）の何れかを選択することにより中心周波数を設定するようにした場合について述べた。
【０１８０】
しかしながら、本発明はこれに限らず、システム制御マイコン３０は、ロータリーエンコーダ１４に対する入力操作に応じて、任意の周波数に調整することにより中心周波数を設定するようにしても良い。
【０１８１】
さらに上述の実施の形態においては、中心周波数設定部としてのシステム制御マイコン３０が、予め定められた４通りのＱ（「０．５」、「１．０」、「１．５」又は「２．０」）の何れかを選択することによりＱを設定するようにした場合について述べた。
【０１８２】
しかしながら、本発明はこれに限らず、システム制御マイコン３０は、ロータリーエンコーダ１４に対する入力操作に応じて、任意の値にＱを設定するようにしても良い。
【０１８３】
さらに上述の実施の形態においては、表示部としてＦＬ管でなるディスプレイ１５を用いるようにした場合について述べたが、しかしながら、本発明はこれに限らず、ＬＣＤ(Liquid Crystal Display)やＬＥＤ(Light Emitting Diode)構成のディスプレイを用いるようにしても良い。
【産業上の利用可能性】
【０１８４】
本発明のサウンド設定装置及びサウンド設定方法は、例えばカーオーディオ装置だけに限らず、ホームオーディオ装置、オーディオ出力可能なパーソナルコンピュータ、カーナビゲーションシステム、携帯電話機及びゲーム機等に適用することができる。
【図面の簡単な説明】
【０１８５】
【図１】従来のイコライザ設定方法（１）を示す略線図である。
【図２】従来のイコライザ設定方法（２）を示す略線図である。
【図３】従来の画面遷移を示す略線図である。
【図４】カーオーディオ装置の外観構成を示す略線図である。
【図５】フロントパネルの構成を示す略線図である。
【図６】ロータリーエンコーダの入力操作方向を示す略線図である。
【図７】ＵＳＢデバイス再生時におけるディスプレイの表示例を示す略線図である。
【図８】ソースアイコンを示す略線図である。
【図９】カーオーディオ装置の回路構成を示す略線図である。
【図１０】本発明のイコライザ設定方法を示す略線図である。
【図１１】本発明の画面遷移（１）を示す略線図である。
【図１２】イコライザ調整画面を示す略線図である。
【図１３】操作アイコンを示す略線図である。
【図１４】操作アイコンの上下方向が無効な場合を示す略線図である。
【図１５】操作アイコンの左右方向が無効な場合を示す略線図である。
【図１６】操作アイコンの回転方向が無効な場合を示す略線図である。
【図１７】イコライザ調整時のモード遷移及び画面遷移の説明に供する略線図である。
【図１８】本発明のサブウーファー設定方法を示す略線図である。
【図１９】本発明の画面遷移（２）を示す略線図である。
【図２０】サブウーファー調整画面を示す略線図である。
【図２１】サブウーファー調整時のモード遷移及び画面遷移を示す略線図である。
【符号の説明】
【０１８６】
１、１０……カーオーディオ装置、２、１２……フロントパネル、３、１５……ディスプレイ、１１……本体部、１３……操作ボタン群、１４……ロータリーエンコーダ、２０……ディスプレイマイコン、３０……システム制御マイコン、３１……操作検出部、３２……電子ボリューム制御部、３３……電子ボリューム。
【図１】
2010140115.tif 000003
【図２】
2010140115.tif 000004
【図３】
2010140115.tif 000005
【図４】
2010140115.tif 000006
【図５】
2010140115.tif 000007
【図６】
2010140115.tif 000008
【図７】
2010140115.tif 000009
【図８】
2010140115.tif 000010
【図９】
2010140115.tif 000011
【図１０】
2010140115.tif 000012
【図１１】
2010140115.tif 000013
【図１２】
2010140115.tif 000014
【図１３】
2010140115.tif 000015
【図１４】
2010140115.tif 000016
【図１５】
2010140115.tif 000017
【図１６】
2010140115.tif 000018
【図１７】
2010140115.tif 000019
【図１８】
2010140115.tif 000020
【図１９】
2010140115.tif 000021
【図２０】
2010140115.tif 000022
【図２１】
2010140115.tif 000023